(57)【特許請求の範囲】
【請求項１】
空気を吹き出す機能を有する機器の吹出口に配置され、片側の風向変更面を空気流に干渉させて空気の吹出方向を変える風向板であって、
前記風向変更面には、風上側の中央寄りから風下側の両角部の一方ずつに向けて徐々に深くなる溝で形成されているとともに空気流を誘導する２面の空気誘導面が形成されていることを特徴とする風向板。
【請求項２】
前記空気誘導面は曲面とされていることを特徴とする請求項１に記載の風向板。
【請求項３】
空気を吹き出す機能を有する機器の吹出口に配置され、片側の風向変更面を空気流に干
渉させて空気の吹出方向を変える風向板であって、
前記風向変更面には、風上側の中央寄りから風下側の両角部の一方ずつに向けて空気流
を誘導する２面の空気誘導面が形成され、
前記空気誘導面は曲面とされ、
前記空気誘導面は球面状の凹部を一部有して形成されていることを特徴とする風向板。
【請求項４】
前記風向変更面の反対側の面は平面とされていることを特徴とする請求項１から３のいずれかに記載の風向板。
【発明の詳細な説明】
【技術分野】
【０００１】
本発明は、空気清浄機や空気調和機など、空気を吹き出す機能を有する機器の吹出口に配置される風向板に関する。
【背景技術】
【０００２】
空気清浄機や空気調和機など、空気を吹き出す機能を有する機器では、吹出口に風向板を配置して所望の方向に空気が吹き出されるようにすることが一般的に行われる。そのような機器の例を特許文献１〜７に見ることができる。【０００３】
特許文献１には空気調和機のフラップが記載されている。このフラップは、長手方向の中央部における幅方向の曲率が、長手方向の端部における幅方向の曲率よりも大きい。この構成により「長手方向の中央部における幅方向の曲率を大きくした場合、風向調節能力が高くなり、良好な気流制御を実現できる。このとき、上記長手方向の端部における幅方向の曲率が、長手方向の中央部における幅方向の曲率よりも小さいから、気流の剥離が起きなくて、長手方向の端部が吹き出し空気で包まれる。これにより、冷房運転時、従来のように高温多湿の室内空気が冷風に巻き込まれて長手方向の端部に接触することがなく、長手方向の端部における結露の発生を防止できる。」（段落［０００７］）という効果がもたらされる。【０００４】
特許文献２には空調装置のルーバーが記載されている。このルーバーは、長手方向中央領域における長手方向に垂直な断面形状は円弧で構成し、外側領域における長手方向に垂直な断面形状は円弧と直線とで構成されている。この構成により「ルーバーの長手方向における外側領域と中央領域とでは、空調済空気は異なる吹出し角度で室内へ流れ出るので、室内のより広い範囲へまんべんなく空調済空気を行き渡らせることができる。また、吹出し角度の異なる空調済空気の吹出し流が干渉することによって、室内へ吹出す空調済空気の広がりを早めることができる。その結果、空調済空気を室内の広い範囲へまんべんなく、迅速に行き渡らせることができる。」（段落［０００７］）という効果がもたらされる。【０００５】
特許文献３には空気調和機が記載されている。この空気調和機の吹出口に取り付けられる風向制御板は、全体的に幅方向に亘って湾曲する長板材からなり、長手方向に沿った一端縁部が直線形状である一方、他端縁部は中央の湾曲度が両側よりも低く成形されているという形状を備える。空気は風向制御板の他端縁部から一端縁部に向けて吹き出される。この構成により「長手方向に沿った一端縁部から吹き出す空調空気の風向きが全て等しくかつ風速分布がほぼ均一となる」（段落［０００９］）という効果がもたらされる。【０００６】
特許文献４にはルーバーが記載されている。このルーバーは、送風方向と平行な面状の第１整風面と、第１整風面と平行な平面内において第１整風面の両側に配置され、かつ、それぞれが段差面を介して第１整風面に対して階段状に接続された一対の面状をなす第２整風面とを含み、第１整風面と第２整風面との間の各段差面が送風元側から送風先に向けてそれらの間隔が漸次広くなる平面弧状に形成されているとともに、第１整風面と第２整風面の肉厚がほぼ均一であり、第１整風面の裏面と第２整風面の表面とがほぼ同一面上に配置されている、という形状を備える。この構成により「段差面が横ルーバーあるいは縦ルーバーとして機能するため、横ルーバーあるいは縦ルーバーを省略しても送風俯仰角および送風振角を変更でき、ルーバーの必要総数を少数化することができる」（段落［００１５］）、「段差面が平面弧状（平面視円弧状）であるため、平板状に形成された段差面に比較して調温空気の送風方向を滑らかに変更でき、乱流等が生じる虞れを少なくできる」（段落［００１６］）、「前記第１整風面と前記第２整風面の肉厚がほぼ均一であり、前記第１整風面の裏面と前記第２整風面の表面とがほぼ同一面上に配置されているため、平板状のルーバーに近似した外観性が得られることになる。また、このルーバーは、第１整風面と第２整風面との間に段差面が設けられているだけであるため、製造にあたって複雑な形状の金型や多量の材料が必要ない」（段落［００１７］）という効果がもたらされる。【０００７】
特許文献５には天井埋込型空気調和機が記載されている。この空気調和機で風向を制御するルーバは、中央部から長手方向両端部に向かうに従い、徐々に下方へ傾斜している。この構成により「ルーバ両端部側からの吹き出し気流が、ルーバ中央部からの吹き出し気流よりも下方に案内される。この下方に案内された吹き出し気流は、ルーバ中央部からの吹き出し気流を下方に誘引し、その結果、空調気流の天井面への張り付きが抑えられ、天井面に塵埃が付着したりカビが生じて汚れるという問題を防止することができる。」「ルーバ中央部からの水平方向への吹き出し気流を維持することができるため、空気の到達性を保ちながら室内空間を満遍なく冷やし、かつ冷風が人に直接当たることを避け、快適性及び空調効果を保持することができる。」（段落［０００７］］という効果がもたらされる。【０００８】
特許文献６には空気調和機が記載されている。この空気調和機の吹出口に配置されるルーバーは、端部に端部制御面、中間部に中間制御面を有し、端部制御面により制御された気流が中間制御面のそれよりも上方あるいは下方に気流を制御するようにされている。この構成により「端部制御面により制御された気流が中間制御面のそれよりも上方あるいは下方に気流を制御するもので、気流ベクトルの水平または垂直分力の差を大きくして、対向流である帰還気流への巻き込みを減少し、ショートサーキットを低減できる。」（段落［０００８］）という効果がもたらされる。【０００９】
特許文献７には左右風向調整装置を備えた空気調和機の室内機が記載されている。
【先行技術文献】
【特許文献】
【００１０】
【特許文献１】特許第３６２２６９０号公報
【特許文献２】特許第３８２０１８２号公報
【特許文献３】特許第４５１９８１１号公報
【特許文献４】特許第３５２０８８２号公報
【特許文献５】特開２００２−３２３２５４号公報
【特許文献６】特開２００１−４１９８号公報
【特許文献７】特許第５４０４７１３号公報
【発明の概要】
【発明が解決しようとする課題】
【００１１】
空気を吹き出す機能を有する機器の吹出口に風向板を傾斜配置し、空気流を風向変更面により前方寄りに変える場合がある。このとき、空気流は、前方寄りに方向を変えると共に風向板横の開口部から真横方向に吹き出すが、前方左右斜め方向寄りには分流しない。しかし、空気流を前方左右斜め方向寄りにも分流させ、イオンを室内の隅々にまで拡散させたい場合がある。風向板に当たった空気流を前方左右斜め方向寄りに画然と分流させるという働きは、特許文献１〜６に記載された風向板では得られない。例えば、前方寄りに空気流を誘引する風向板の前方に特許文献７記載の左右風向調整装置を配置して空気の吹出方向を左右斜め方向に振ることとすれば概ね目的は達成されるが、それでは構成が複雑になる。また、そのような左右風向板は圧損となり、風量が低下する。また、このような左右風向板の風下側には空気流が流れにくいので、空気流にイオンを含ませて室内にイオンを拡散させる場合など、イオン濃度均一化の妨げとなる。【００１２】
本発明は上記の点に鑑みなされたものであり、風向板に当たった空気流を前方左右斜め方向寄りに画然と分流させることが可能であり、しかもそれを、別部材の風向調整装置を組み合わせるといった手法によらずに達成することを目的とする。
【課題を解決するための手段】
【００１３】
本発明に係る風向板は、空気を吹き出す機能を有する機器の吹出口に配置され、片側の風向変更面を空気流に干渉させて空気の吹出方向を変えるものであって、前記風向変更面には、風上側の中央寄りから風下側の両角部の一方ずつに向けて徐々に深くなる溝で形成されているとともに空気流を誘導する２面の空気誘導面が形成されていることを特徴としている。
【００１４】
上記構成の風向板において、前記空気誘導面は曲面とされていることが好ましい。【００１５】
空気を吹き出す機能を有する機器の吹出口に配置され、片側の風向変更面を空気流に干渉させて空気の吹出方向を変える風向板であって、前記風向変更面には、風上側の中央寄りから風下側の両角部の一方ずつに向けて空気流を誘導する２面の空気誘導面が形成され、前記空気誘導面は曲面とされ、前記空気誘導面は球面状の凹部を一部有して形成されていることを特徴としている。
【００１６】
空気を吹き出す機能を有する機器の吹出口に配置され、片側の風向変更面を空気流に干渉させて空気の吹出方向を変える風向板であって、前記風向変更面には、風上側の中央寄りから風下側の両角部の一方ずつに向けて空気流を誘導する２面の空気誘導面が形成され、前記両角部の一方に向かう前記空気誘導面と他方に向かう前記空気誘導面とは非対称形状とされていることを特徴としている。
【００１７】
上記構成の風向板において、前記風向変更面の反対側の面は平面とされていることが好ましい。
【発明の効果】
【００１８】
本発明によると、風向板の風向変更面に、風上側の中央寄りから風下側の両角部の一方ずつに向けて空気流を誘導する２面の空気誘導面が形成されているから、風向板に当たった空気流を効果的に、圧損の少ない状態で前方左右斜め方向寄りに画然と分流させることができる。しかもこの働きは風向板の構造のみによってもたらされ、他の部材を組み合わせる必要がなく、構造が簡単となる。
【図面の簡単な説明】
【００１９】
【図１】空気清浄機の正面図である。
【図２】図１の空気清浄機の垂直断面図である。
【図３】図１の空気清浄機をＡ−Ａ線に沿って切断した垂直断面図である。
【図４】本発明に係る風向板の基本的技術思想を説明する第１の正面図である。
【図５】本発明に係る風向板の基本的技術思想を説明する第２の正面図である。
【図６】本発明に係る風向板を吹出口に配置する状況を示す第１の説明図である。
【図７】本発明に係る風向板を吹出口に配置する状況を示す第２の説明図である。
【図８】本発明に係る風向板の第１実施形態を示す斜視図である。
【図９】本発明に係る風向板の第２実施形態を示す斜視図である。
【図１０】本発明に係る風向板の第３実施形態を示す斜視図である。
【図１１】本発明に係る風向板の第４実施形態を示す斜視図である。
【図１２】本発明に係る風向板の第５実施形態を示す斜視図である。
【図１３】本発明に係る風向板の第６実施形態を示す斜視図である。
【図１４】本発明に係る風向板の第７実施形態を示す斜視図である。
【図１５】本発明に係る風向板の第８実施形態を示す斜視図である。
【図１６】本発明に係る風向板の第９実施形態を示す斜視図である。
【図１７】本発明に係る風向板の第１０実施形態を示す斜視図である。
【図１８】本発明に係る風向板の第１１実施形態を示す斜視図である。
【図１９】本発明に係る風向板の第１２実施形態を示す斜視図である。
【図２０】本発明に係る風向板の第１３実施形態を示す斜視図である。
【図２１】本発明に係る風向板の第１４実施形態を示す斜視図である。
【図２２】本発明に係る風向板の第１５実施形態を示す空気清浄機の垂直断面図である。
【図２３】本発明に係る風向板の第１６実施形態を示す斜視図である。
【図２４】本発明に係る風向板の第１７実施形態を示す斜視図である。
【図２５】本発明に係る風向板の第１８実施形態を示す斜視図である。
【発明を実施するための形態】
【００２０】
空気を吹き出す機能を備える機器の一例として図１から図３に示すのは空気清浄機である。空気清浄機１は、正面形状が隅丸正方形であり、上下左右の寸法に比べて前後の奥行きが小さい、薄い箱形の筐体１０を備える。筐体１０の背面には多数の小孔の集合からなる吸気口１１（図３参照）が形成され、吸気口１１の内側にフィルタ室１２が区画形成されている。フィルタ室１２には塵埃捕集用のフィルタ１３が格納される。フィルタ室１２と筐体１０の正面との間にはファンケーシング１４が形成される。ファンケーシング１４は、ファンから吐出された空気を受け入れて吹出口の方へ導く渦巻状空気流路部分を備える。渦巻状空気流路部分は、下流側に向かって断面積が漸増するインボリュート形状となっている。
【００２１】
フィルタ室１２の内部とファンケーシング１４の内部とは多数の小孔の集合からなる連通口１５（図２参照）によって連通する。ファンケーシング１４の内部にはシロッコファン１６（図３参照）が配置される。シロッコファン１６はファンケーシング１４の中で、図２において反時計回りに回転する。ファンケーシング１４の末端は吹出口１７となる。吹出口１７は筐体１０の天面に開口しており、その平面形状は奥行き方向の寸法よりも左右方向の寸法の方が長い長方形である。
【００２２】
図示しないモータによりシロッコファン１６が回転せしめられると、室内空気が吸気口１１からフィルタ室１２に吸い込まれる。吸い込まれた空気はフィルタ１３を通過し、空気中の塵埃はフィルタ１３に捕集される。フィルタ１３を通過することで浄化された空気は連通口１５を通ってファンケーシング１４に入り、シロッコファン１６に吸い込まれる。シロッコファン１６に吸い込まれた空気はシロッコファン１６の外周部から吐出され、ファンケーシング１４の内部を旋回して、吹出口１７より上方に吹き出される。
【００２３】
吹出口１７に風向板２０が配置される。風向板２０は左右方向に長い長方形をしている。風向板２０は片面の風向変更面２１を吹出口１７から吹き出される空気流に干渉させて空気の吹出方向を変える。空気清浄機１においては、風向板２０は風向変更面２１により空気の吹出方向を前方寄りに変える。この風向板２０の風向変更面２１の形状が本発明の眼目であり、それを後で、いくつかの実施形態をもって説明する。
【００２４】
風向板２０は後端を回動の中心として垂直面内で回動することができるように吹出口１７に取り付けられており、図示しないモータによって次の２姿勢のいずれかに保持される。第１の姿勢は風向変更面２１によって空気の吹出方向を変える姿勢であり、これを図１から図３に示す。第２の姿勢は吹出口１７を閉ざす姿勢である。風向板２０の風向変更面２１と反対側の面は平面とされており、この平面は、風向板２０が吹出口１７を閉ざす状態では筐体１０の天面と面一になる。
【００２５】
ところで、吹出口１７から吹き出す空気流は、通常、風向変更面２１により前方寄りに方向を変えると共に風向板２０の横の開口部から真横方向へ吹き出すが、前方左右斜め方向寄りには吹き出さない。空気清浄機１にイオン発生器を搭載し、このイオン発生器で発生させたイオンを空気流に含ませることとした場合、空気流の前方寄りの幅が狭いと室内のイオン濃度に偏りが生じやすい。特許文献７に記載されたような左右風向調整装置を用いて空気の吹出方向を左右斜め方向に振ることとすれば、イオン濃度の偏りを軽減できるが、それでは構成が複雑になる。
【００２６】
そこで本発明では、風向板２０の風向変更面２１の形状のみによって、空気流を前方左右斜め方向寄りに画然と分流し、イオンを含む空気流を吹き出す場合でも、室内のイオン濃度に偏りが生じないようにする。この目的を達成するために風向変更面２１をどのような形状にするかについての基本的な考え方を、図４から図７に基づき説明する。
【００２７】
本発明の基本的技術思想は次の点にある。すなわち、風向変更面２１に、風上側の中央寄りから風下側の両角部の一方ずつに向けて空気流を誘導する２面の空気誘導面２２が形成されている点にある。図４の空気誘導面２２は、風向変更面２１の風上側から風下側までの領域の半分程度にわたる大きさとされている。図５の空気誘導面２２は、風向変更面２１の風上側から風下側までの領域のほぼ全域にわたる大きさとされている。左右の空気誘導面２２は対称形状である。
【００２８】
空気誘導面２２が存在することで、風向変更面２１に吹き付ける空気流のうち、ある割合の部分は、図の左上の角部の方向と図の右上の角部の方向に分流せしめられることになる。図４の風向変更面２１よりも図５の風向変更面２１の方が、空気誘導面２２が大きい分だけ効果的に分流を行う。
【００２９】
図５の風向板２０とほぼ構造の等しい風向板２０を吹出口１７に配置するイメージを示したものが図６である。風向板２０は吹出口１７の外側に配置され、風向変更面２１を空気流に干渉させる。吹出口１７から上方に吹き出す空気流は、風向変更面２１が前方に傾いていることによって前方寄りに向きを変えられる。同時に、空気流中のある割合の部分は２面の空気誘導面２２により前方左右斜め方向寄りに分流せしめられる。
【００３０】
図７も吹出口１７に風向板２０を配置した状態を示す。風向板２０は吹出口１７の外側にではなく吹出口１７の内側に配置されている。風向板２０は、図１から図３に示す空気清浄機１の風向板２０と同様に、後端を回動の中心として垂直面内で回動する。空気誘導面２２は風向変更面２１に曲面の凹部を形成することで形成され、その稜線部は図６の風向板２０のようなシャープな稜線でなく丸みを帯びた稜線とされている。
【００３１】
図７の風向板２０を、図示しないモータにより吹出口１７を閉ざす姿勢から起き上がらせると、吹出口１７が開くとともに風向板２０は風向変更面２１が斜め下を向く姿勢になる。風向変更面２１が斜め下を向いていることによって吹出口１７から吹き出す空気流は前方寄りに向きを変えられる。また空気流は、２面の空気誘導面２２により、ある割合の部分が前方左右斜め方向寄りに分流する。
【００３２】
図６の風向板２０もそうであるが、図７の風向板２０は風向変更面２１と反対側の面が平面とされており、風向板２０が吹出口１７を閉ざす姿勢になると、平面の部分が筐体１０の天面と面一になる。これにより空気清浄機１の清掃がしやすくなる。風向板２０が目立つこともなくなる。
【００３３】
風向変更面２１は起伏のある形状で、その反対側の面は平面という構成は、合成樹脂の成型部品を２個組み合わせることで実現できる。このように構成すると風向板２０の内部に空洞が生じる。空洞の内部の空気層は吸音材の役割を果たすから、空気清浄機１の上方への騒音拡散を軽減できる。
【００３４】
図７の風向板２０は、吹出口１７を開く姿勢としたとき、回動の中心となる後端部は吹出口１７の内部に留まっているが、後端部を含む風向板２０の全体が吹出口１７の上方に持ち上がる構成とすることもできる。この構成は、筐体１０と風向板２０を連結する蝶番部の構造を工夫することで実現できる。
【００３５】
風向板２０は開閉可能でなくても構わない。図６や図７の角度に固定されたままであってもよい。
【００３６】
風向板２０の配置場所は機器の天面に開口する吹出口に限定されない。機器の天面以外の面、例えば側面に吹出口が設けられる場合は、そこに配置することができる。
【００３７】
続いて図８から図２３までの図に基づき風向変更面２１の構造を様々に変えた風向板２０の実施形態を説明する。
【００３８】
＜第１実施形態＞
図８に第１実施形態を示す。第１実施形態に係る風向変更面２１は、平板状の風向板２０の片面に形成されている。風向変更面２１には、風下側の両角部の一方ずつに向けて空気流を誘導する２面の空気誘導面２２が形成されている。空気誘導面２２は風向板２０の平板部分の風上側の端の中央寄りの位置から始まり、風向板２０の平板部分から断面台形に隆起した部分の端で終わっている。この隆起部分は、風向板２０の風上側の端では高さがゼロで、風下側ほど高さが高くなる形状である。空気誘導面２２の稜線はシャープに仕上げられている。空気誘導面２２、２２の間には空気流を左方または右方に偏らせることなく直進させる直進面２３が形成されている。空気誘導面２２と直進面２３はいずれも平面である。左右の空気誘導面２２は対称形状である。
【００３９】
＜第２実施形態＞
図９に第２実施形態を示す。第２実施形態に係る風向変更面２１は、第１実施形態の形状を基本的に踏襲しているが、次の点が違う。すなわち風向板２０の平板部分から断面台形に隆起する部分は、第１実施形態では風上側の端の高さはゼロであったが、第２実施形態では風上側の端から既に所定高さに隆起している。左右の空気誘導面２２は対称形状である。
【００４０】
＜第３実施形態＞
図１０に第３実施形態を示す。第３実施形態に係る風向変更面２１は、第１実施形態の形状を基本的に踏襲しているが、次の点が違う。すなわち、空気誘導面２２の稜線部がシャープな稜線でなく丸みを帯びた稜線とされている。空気誘導面２２は基本的には平面であり、風向板２０の平板部分に、風下側ほど深さが増すように彫り込まれる断面形状円弧状の浅い溝によって平板部分とつながっている。風向板２０の平板部分から断面台形に隆起した部分の風下側の端が空気誘導面２２の風下側の端となる。この隆起部分は風向板２０の風上側の端では高さがゼロで、風下側ほど高さが高くなる形状である。左右の空気誘導面２２は対称形状である。
【００４１】
＜第４実施形態＞
図１１に第４実施形態を示す。第４実施形態に係る風向変更面２１は、第１実施形態の形状を基本的に踏襲しているが、次の点が違う。すなわち、風向板２０の平板部分は第１実施形態に比べて厚み（Ｌ１＜Ｌ２）があり、その風上側の端の中央寄りの位置から風下側の両角部の一方ずつに向けて、溝の軸線方向に直交する方向の断面形状が三角形となる溝を彫り込むような形で平面状の空気誘導面２２が形成されている。溝の軸線方向は風向板２０の長手方向に対し斜めになる。左右の空気誘導面２２は対称形状である。
【００４２】
＜第５実施形態＞
図１２に第５実施形態を示す。第５実施形態に係る風向変更面２１は、第１実施形態の形状を基本的に踏襲しているが、次の点が違う。すなわち、空気誘導面２２の稜線部がシャープな稜線でなく丸みを帯びた稜線とされている。空気誘導面２２は基本的には平面であり、風向板２０の平板部分に彫り込まれた断面形状円弧状の浅い溝によって平板部分とつながっている。溝の軸線方向は風向板２０の長手方向に対し斜めになる。風向板２０の平板部分から断面台形に隆起した部分の風上側の端と風下側の端が空気誘導面２２の風上側の端と風下側の端になる。左右の空気誘導面２２は対称形状である。
【００４３】
＜第６実施形態＞
図１３に第６実施形態を示す。第６実施形態に係る風向変更面２１は、第１実施形態の形状を基本的に踏襲しているが、次の点が違う。すなわち、空気誘導面２２の稜線部がシャープな稜線でなく丸みを帯びた稜線とされている。空気誘導面２２は基本的には平面であり、風向板２０の平板部分に彫り込まれた断面形状円弧状の浅い溝によって平板部分とつながっている。溝の軸線方向は風向板２０の長手方向に対し斜めになる。溝は風向板２０の風上側の端では深さゼロであり、風下側ほど幅と深さが増す形状である。風向板２０の平板部分は第１実施形態に比べて厚みが（Ｌ１＜Ｌ３）あり、そのためにこのような形状の溝を形成することが可能となっている。左右の空気誘導面２２は対称形状である。
【００４４】
＜第７実施形態＞
図１４に第７実施形態を示す。第７実施形態に係る風向変更面２１は、空気誘導面２２が曲面の凹面とされ、空気誘導面の稜線部はシャープな稜線でなく丸みを帯びた稜線とされている。空気誘導面２２の曲面は次のようにして形成される。
【００４５】
風向板２０の平板部分の風上側の端の中央寄りから風下側の両角部の一方ずつに向けて、球面の一部分である凹みを形成する。図１４の球面は楕円球面である。楕円球面の長軸方向は風向板２０の長手方向に対し斜めになる。左右の空気誘導面２２は対称形状である。直進面２３も平面ではなく防波堤の波返しのような曲面となっている。
【００４６】
空気誘導面２２が曲面の凹面であると圧損が軽減される。風向制御も容易になる。球面の一部分である凹みを空気誘導面２２に形成すると、真横に逃げる空気流の発生を抑制でき、空気流を前方左右斜め方向寄りの所定方向により集中させることができる。
【００４７】
図７の風向板２０の空気誘導面２２も、第７実施形態と同じやり方で形成される。
【００４８】
＜第８実施形態＞
図１５に第８実施形態を示す。第８実施形態に係る風向変更面２１は、第７実施形態の形状を基本的に踏襲しているが、次の点が違う。すなわち、風向板２０の平板部分に、楕円球面の一部である凹みが第７実施形態よりもはっきりした形で溝として掘り下げられ、風向変更面２１の風上側の端の中央寄りから空気誘導面２２が立ち上がっている。左右の空気誘導面２２は対称形状である。直進面２３は平面ではなく防波堤の波返しのような曲面となっている。
【００４９】
＜第９実施形態＞
図１６に第９実施形態を示す。第９実施形態に係る風向変更面２１は、第７実施形態の形状を基本的に踏襲しているが、次の点が違う。すなわち、楕円球面の一部である凹みは、風向板２０の平板部分において、風上側の端よりも少し風下側に寄った位置から始まっている。左右の空気誘導面２２は対称形状である。直進面２３は平面ではなく防波堤の波返しのような曲面となっている。
【００５０】
＜第１０実施形態＞
図１７に第１０実施形態を示す。第１０実施形態に係る風向変更面２１は、第７実施形態の形状を基本的に踏襲しているが、次の点が違う。すなわち、隆起した風上側の端の中央寄りから風下側に向けて、球面の一部分である凹みの幅と深さが増す様に形成されている。左右の空気誘導面２２は対称形状である。直進面２３は平面ではなく防波堤の波返しのような曲面となっている。
【００５１】
＜第１１実施形態＞
図１８に第１１実施形態を示す。第１１実施形態に係る風向変更面２１は、空気誘導面２２が曲面とされている。
【００５２】
左右の空気誘導面２２は、風向板２０の平板形状の風上側の端の中央寄りの位置から風下側の両角部の一方ずつに向けて、軸線方向と直角の断面が三角形状となる溝を彫り込むような形で形成されている。空気誘導面２２は風向板２０の平板部分の風上側の端の中央寄りの位置から始まり、風向板２０の平板部分から断面台形に隆起した部分の端で終わっている。この隆起部分は風向板２０の風上側の端では高さがゼロで、風下側ほど高さが高くなる形状である。溝の軸線は直線ではなく曲線である。空気誘導面２２の稜線部はシャープな稜線をなしている。直進面２３は平面ではなく防波堤の波返しのような曲面となっている。左右の空気誘導面２２は対称形状である。
【００５３】
＜第１２実施形態＞
図１９に第１２実施形態を示す。第１２実施形態に係る風向変更面２１は、第１１実施形態の形状を基本的に踏襲しているが、次の点が違う。すなわち風向板２０の平板部分から断面台形に隆起する部分は、第１１実施形態では風上側の端の高さがゼロであったが、第１２実施形態では風上側の端から既に所定高さに隆起している。直進面２３は平面ではなく防波堤の波返しのような曲面となっている。左右の空気誘導面２２は対称形状である。
【００５４】
＜第１３実施形態＞
図２０に第１３実施形態を示す。第１３実施形態に係る風向変更面２１は、第１１実施形態の形状を基本的に踏襲しているが、次の点が違う。すなわち空気誘導面２２を形成する溝は、平板部分の風上側の端では幅ゼロで、そこから風下側の両角部の一方ずつに向けて、次第に溝断面積が大きくなるように彫り込まれた形になっている。また空気誘導面２２は、溝の軸線方向に直交する方向の断面形状が略三角形であって、かつ溝の軸線方向が曲線となっている。直進面２３は平面ではなく防波堤の波返しのような曲面となっている。左右の空気誘導面２２は対称形状である。
【００５５】
＜第１４実施形態＞
図２１に第１４実施形態を示す。第１４実施形態に係る風向変更面２１は、第１０実施形態の形状を基本的に踏襲しているが、次の点が違う。すなわち、回動の中心側となる風上側の端の左右両端に、風向変更面２１から所定長さ突き出し、風上から風下への方向においても所定長さを有する耳片２４が形成されている。耳片２４が存在することにより、風向板２０の真横方向に吹き出す空気流を抑制できる。左右の空気誘導面２２は対称形状である。
【００５６】
＜第１５実施形態＞
図２２に第１５実施形態を示す。第１５実施形態に係る風向板２０は、第７実施形態と同じく、風向板２０の平板部分の風上側の端から風下側の両角部の一方ずつに向けて、球面の一部分である凹みを形成することで凹面の空気誘導面２２が形成されている。ここで第１５実施形態は、左上の角部に向かう空気誘導面２２と右上の角部に向かう空気誘導面２２とが非対称形状とされている。それは次のようにして実現される。すなわち左側の空気誘導面２２の始点と右側の空気誘導面２２の始点は、いずれも、風向板２０の中心よりも左側に寄った位置にある。
【００５７】
上記の構成とすることで、左側の空気誘導面２２よりも右側の空気誘導面２２の方が空気流を迎える面積が大きくなる。ファンケーシング１４はシロッコファン１６が図２２において反時計回りに回転するものとして設計されているが、その向きにシロッコファン１６が回転すると、図２２に矢印の長短で示す通り、吹出口１７の中で、左寄りの箇所の空気流の方が右寄りの箇所の空気流よりも優勢になる、という偏り傾向が生じる。右側の空気誘導面２２を左側の空気誘導面２２よりも大きくしておけば、空気流の偏り傾向を是正して、均等な左右分流を行わせることができる。これにより、左右方向に吹き出す空気流の量をより均等化することができる。
【００５８】
＜第１６実施形態＞
図２３に第１６実施形態を示す。第１６実施形態に係る風向変更面２１は、第１実施形態の形状を基本的に踏襲しているが、次の点が違う。すなわち、直進面２３の中央に溝２５が形成されている。これにより、前方上下方向への風向角度を変更でき、空気流の分流を多様化できる。左右の空気誘導面２２は対称形状である。
【００５９】
＜第１７実施形態＞
図２４に第１７実施形態を示す。第１７実施形態に係る風向変更面２１は、第１実施形態の形状を基本的に踏襲しているが、次の点が違う。すなわち、風向板２０の平板部分は第１実施形態に比べて厚み（Ｌ１＜Ｌ４）があり、その風上側の端の中央寄りの位置から風下側の両角部の一方ずつに向けて、溝の軸線方向に直交する方向の断面形状が台形となる溝を彫り込むような形で平面状の空気誘導面２２が形成されている。溝の軸線方向は風向板２０の長手方向に対し斜めになる。左右の空気誘導面２２は対称形状である。
【００６０】
＜第１８実施形態＞
図２５に第１８実施形態を示す。第１８実施形態に係る風向変更面２１は、第１１実施形態の形状を基本的に踏襲しているが、次の点が違う。すなわち空気誘導面２２を形成する溝は、平板部分の風上側の端では幅ゼロで、そこから風下側の両角部の一方ずつに向けて、次第に溝断面積が大きくなるように側面部及び底面部を有しながら彫り込まれた形になっている。また空気誘導面２２は、溝の軸線方向が曲線となっている。直進面２３は平面ではなく防波堤の波返しのような曲面となっている。左右の空気誘導面２２は対称形状である。
【００６１】
なお、本発明では、別部材の風向調整装置を組み合わせることなく風を前方左右斜め方向寄りに分流できるため、風量の低下を抑えながら正面方向の風による寒さを軽減する効果も得られる。
【００６２】
以上、本発明の実施形態につき説明したが、本発明の範囲はこれに限定されるものではなく、発明の主旨を逸脱しない範囲で種々の変更を加えて実施することができる。
【産業上の利用可能性】
【００６３】
本発明は空気を吹き出す機能を有する機器の吹出口に配置される風向板に広く利用可能である。
【符号の説明】
【００６４】
１    空気清浄機
１０  筐体
１４  ファンケーシング
１６  シロッコファン
１７  吹出口
２０  風向板
２１  風向変更面
２２  空気誘導面
２３  直進面
２４  耳片
２５  溝
【図１】
0006581182.tif 000002
【図２】
0006581182.tif 000003
【図３】
0006581182.tif 000004
【図４】
0006581182.tif 000005
【図５】
0006581182.tif 000006
【図６】
0006581182.tif 000007
【図７】
0006581182.tif 000008
【図８】
0006581182.tif 000009
【図９】
0006581182.tif 000010
【図１０】
0006581182.tif 000011
【図１１】
0006581182.tif 000012
【図１２】
0006581182.tif 000013
【図１３】
0006581182.tif 000014
【図１４】
0006581182.tif 000015
【図１５】
0006581182.tif 000016
【図１６】
0006581182.tif 000017
【図１７】
0006581182.tif 000018
【図１８】
0006581182.tif 000019
【図１９】
0006581182.tif 000020
【図２０】
0006581182.tif 000021
【図２１】
0006581182.tif 000022
【図２２】
0006581182.tif 000023
【図２３】
0006581182.tif 000024
【図２４】
0006581182.tif 000025
【図２５】
0006581182.tif 000026